(57)【要約】【課題】  特殊原稿が検出された場合にそのページの画像全体に塗りつぶし等の画像加工を行うための機能を組み込んでも、その装置あるいはシステム全体の処理が完了するまでの時間を従来より短縮できるようにする。【解決手段】  入力する画像データをＰＤＬ変換手段１３によってＰＤＬデータに変換して、データ出力手段１４から順次外部に出力しながら、特殊原稿判定手段１５によって入力した画像データに紙幣等の特殊画像が含まれているか否かを判定し、その特殊原稿判定手段１５の判定結果が出るまでＰＤＬ変換手段１３にページ終了コマンドの送出を待たせ、特殊原稿の画像データを含む判定結果が出た場合には、画像加工コマンド付加手段１６により、１ページ分の画像データに所定の加工処理を施す指示をするＰＤＬコマンドによる画像加工コマンドを生成し、そのコマンドをページ終了コマンドより前か同時に送出させる。【選択図】      図１
2009260721.tif 000002
【特許請求の範囲】
【請求項１】
画像データを入力する画像データ入力手段と、
該画像データ入力手段が入力した画像データをページ記述言語に変換し、１ページ分の画像データをページ記述言語に変換し終ったときにページ終了コマンド送出するＰＤＬ変換手段と、
該ＰＤＬ変換手段が変換したページ記述言語のデータを順次出力するデータ出力手段と、
前記画像データ入力手段が入力した画像データを１ページ分毎に特殊原稿の画像データを含むか否かを判定する特殊原稿判定手段と、
該特殊原稿判定手段の判定結果が出るまで前記ＰＤＬ変換手段に前記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、該コマンドを前記ページ終了コマンドより前か同時に送出させる画像加工コマンド付加手段と
を備えたことを特徴とする画像処理装置。
【請求項２】
前記画像データ入力手段が、外部に接続して設けた画像読取装置を制御する読取制御手段と、該読取制御手段に制御されて前記画像読取装置が原稿の画像を読み取って出力する画像データを順次入力する読取データ入力手段とからなることを特徴とする請求項１に記載の画像処理装置。
【請求項３】
原稿の画像を読み取って画像データを出力する画像読取手段と、
該画像読取手段が出力する画像データを順次ページ記述言語に変換し、１ページ分の画像データをページ記述言語に変換し終ったときにページ終了コマンド送出するＰＤＬ変換手段と、
該ＰＤＬ変換手段が変換したページ記述言語のデータを順次出力するデータ出力手段と、
前記画像データ入力手段が入力した画像データを１ページ分毎に特殊原稿の画像データを含むか否かを判定する特殊原稿判定手段と、
該特殊原稿判定手段の判定結果が出るまで前記ＰＤＬ変換手段に前記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、該コマンドを前記ページ終了コマンドより前か同時に送出させる画像加工コマンド付加手段と
を備えたことを特徴とする画像読取装置。
【請求項４】
請求項１又は２に記載の画像処理装置と、その画像処理装置からデータ通信手段を介して前記ページ記述言語のデータが伝送される画像出力装置とからなる画像出力システムであって、
前記画像出力装置が、
前記画像処理装置から前記データ通信手段を介して伝送されるページ記述言語のデータを一時的に保持するするデータ保持手段と、
前記ページ終了コマンドを受け取った後、前記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、
該ラスタデータ生成手段が生成したラスタデータを画像として用紙に印刷するか表示画面に表示して出力する画像出力手段とを備えていることを特徴とする画像出力システム。
【請求項５】
請求項３に記載の画像読取装置と、その画像読取装置からデータ通信手段（有線又は無線のネットワークを含む）を介して前記ページ記述言語のデータが伝送される画像出力装置とからなる画像出力システムであって、
前記画像出力装置が、
前記画像処理装置から前記データ通信手段を介して伝送されるページ記述言語のデータを一時的に保持するするデータ保持手段と、
前記ページ終了コマンドを受け取った後、前記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、
該ラスタデータ生成手段が生成したラスタデータを画像として用紙に印刷するか表示画面に表示して出力する画像出力手段とを備えていることを特徴とする画像出力システム。
【請求項６】
請求項１又は２に記載の画像処理装置と、その画像処理装置からデータ通信手段を介して前記ページ記述言語のデータが伝送される画像蓄積装置とからなる画像蓄積システムであって、
前記画像蓄積装置が、
前記画像処理装置から前記データ通信手段を介して伝送されるページ記述言語のデータを一時的に保持するするデータ保持手段と、
前記ページ終了コマンドを受け取った後、前記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、
該ラスタデータ生成手段が生成したラスタデータを画像ファイルとして蓄積記憶する画像蓄積記憶手段とを備えていることを特徴とする画像蓄積システム。
【請求項７】
請求項３に記載の画像読取装置と、その画像読取装置からデータ通信手段を介して前記ページ記述言語のデータが伝送される画像蓄積装置とからなる画像蓄積システムであって、
前記画像蓄積装置が、
前記画像処理装置から前記データ通信手段を介して伝送されるページ記述言語のデータを一時的に保持するするデータ保持手段と、
前記ページ終了コマンドを受け取った後、前記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、
該ラスタデータ生成手段が生成したラスタデータを画像ファイルとして蓄積記憶する画像蓄積記憶手段とを備えていることを特徴とする画像蓄積システム。
【請求項８】
画像処理部と画像印刷部とからなる画像印刷装置であって、
前記画像処理部が、
画像データを入力する画像データ入力手段と、
該画像データ入力手段が入力した画像データをページ記述言語に変換して順次送出し、１ページ分の画像データをページ記述言語に変換し終ったときにページ終了コマンドを送出するＰＤＬ変換手段と、
前記画像データ入力手段が入力した画像データを１ページ分毎に特殊原稿の画像データを含むか否かを判定する特殊原稿判定手段と、
該特殊原稿判定手段の判定結果が出るまで前記ＰＤＬ変換手段に前記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、該コマンドを前記ページ終了コマンドより前か同時に送出させる画像加工コマンド付加手段とを備え、
前記画像印刷部が、
前記ＰＤＬ変換手段が送出するページ記述言語のデータを一時的に保持するするデータ保持手段と、
前記ページ終了コマンドを受け取った後、前記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、
該ラスタデータ生成手段が生成したラスタデータを画像として用紙に印刷する画像印刷手段とを備えている
ことを特徴とする画像印刷装置。
【請求項９】
前記画像処理部の前記画像データ入力手段が、外部に接続して設けた画像読取装置を制御する読取制御手段と、該読取制御手段に制御されて前記画像読取装置が原稿の画像を読み取って出力する画像データを順次入力する読取データ入力手段とからなることを特徴とする請求項８に記載の画像印刷装置。
【請求項１０】
画像読取部と画像印刷部とからなる画像複写装置であって、
前記画像読取部が、
原稿の画像を読み取って画像データを出力する画像読取手段と、
該画像読取手段が出力する画像データを順次ページ記述言語に変換して順次送出し、１ページ分の画像データをページ記述言語に変換し終ったときにページ終了コマンド送出するＰＤＬ変換手段と、
該ＰＤＬ変換手段が変換したページ記述言語のデータを順次出力するデータ出力手段と、
前記画像データ入力手段が入力した画像データを１ページ分毎に特殊原稿の画像データを含むか否かを判定する特殊原稿判定手段と、
該特殊原稿判定手段の判定結果が出るまで前記ＰＤＬ変換手段に前記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、該コマンドを前記ページ終了コマンドより前か同時に送出させる画像加工コマンド付加手段とを備え、
前記画像印刷部が、
前記ＰＤＬ変換手段が送出するするページ記述言語のデータを一時的に保持するするデータ保持手段と、
前記ページ終了コマンドを受け取った後、前記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、
該ラスタデータ生成手段が生成したラスタデータを画像として用紙に印刷する画像印刷手段とを備えている
ことを特徴とする画像複写装置。
【請求項１１】
画像処理部と画像蓄積部とからなる画像蓄積装置であって、
前記画像処理部が、
画像データを入力する画像データ入力手段と、
該画像データ入力手段が入力した画像データをページ記述言語に変換して順次送出し、１ページ分の画像データをページ記述言語に変換し終ったときにページ終了コマンドを送出するＰＤＬ変換手段と、
前記画像データ入力手段が入力した画像データを１ページ分毎に特殊原稿の画像データを含むか否かを判定する特殊原稿判定手段と、
該特殊原稿判定手段の判定結果が出るまで前記ＰＤＬ変換手段に前記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、該コマンドを前記ページ終了コマンドより前か同時に送出させる画像加工コマンド付加手段とを備え、
前記画像蓄積部が、
前記ＰＤＬ変換手段が送出するページ記述言語のデータを一時的に保持するするデータ保持手段と、
前記ページ終了コマンドを受け取った後、前記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、
該ラスタデータ生成手段が生成したラスタデータを画像ファイルとして蓄積記憶する画像蓄積記憶手段とを備えている
ことを特徴とする画像蓄積装置。
【請求項１２】
画像読取部と画像蓄積部とからなる画像蓄積装置であって、
前記画像読取部が、
原稿の画像を読み取って画像データを出力する画像読取手段と、
該画像読取手段が出力する画像データを順次ページ記述言語に変換して順次送出し、１ページ分の画像データをページ記述言語に変換し終ったときにページ終了コマンド送出するＰＤＬ変換手段と、
前記画像データ入力手段が入力した画像データを１ページ分毎に特殊原稿の画像データを含むか否かを判定する特殊原稿判定手段と、
該特殊原稿判定手段の判定結果が出るまで前記ＰＤＬ変換手段に前記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、該コマンドを前記ページ終了コマンドより前か同時に送出させる画像加工コマンド付加手段とを備え、
前記画像蓄積部が、
前記ＰＤＬ変換手段が送出するページ記述言語のデータを一時的に保持するするデータ保持手段と、
前記ページ終了コマンドを受け取った後、前記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、
該ラスタデータ生成手段が生成したラスタデータを画像ファイルとして蓄積記憶する画像蓄積記憶手段とを備えていることを特徴とする画像蓄積装置。
【請求項１３】
コンピュータを、
画像データを入力する画像データ入力手段、
該画像データ入力手段が入力した画像データをページ記述言語に変換し、１ページ分の画像データをページ記述言語に変換し終ったときにページ終了コマンド送出するＰＤＬ変換手段、
該ＰＤＬ変換手段が変換したページ記述言語のデータを順次出力するデータ出力手段、
前記画像データ入力手段が入力した画像データを１ページ分毎に特殊原稿の画像データを含むか否かを判定する特殊原稿判定手段、および
該特殊原稿判定手段の判定結果が出るまで前記ＰＤＬ変換手段に前記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、該コマンドを前記ページ終了コマンドより前か同時に送出させる画像加工コマンド付加手段
として機能させるためのプログラム。
【請求項１４】
請求項１３に記載のプログラムを記録したコンピュータ読み取り可能な記録媒体。
【発明の詳細な説明】
【技術分野】
【０００１】
この発明は、複写機やデジタル複合機（ＭＰＦ：Multi Function Periphery）等の画像複写装置、あるいは画像読取装置（スキャナ）と画像印刷装置（プリンタ）、あるいはさらにパーソナルコンピュータ（以下「ＰＣ」と略称する）等の情報処理装置を、ＵＳＢケーブルやネットワークによるデータ通信手段を介して接続して、画像読取装置で読み取った画像データを必要により加工して表示や印刷によって出力したり、画像ファイルとして蓄積したりする各種システム、およびそれに使用する各装置に関する。
特に、複写が禁止されている、紙幣や有価証券等の特殊画像の画像データが印刷可能なデータとして出力されたり、表示、印刷、蓄積などがされないようにする技術に関する。
【背景技術】
【０００２】
主にデジタルカラー複合機（カラーＭＦＰ）において、複写が禁止されている原稿（例えば、紙幣や有価証券）がコピーやスキャンされ、それらが悪用されることを防ぐ目的で、原稿を読み取った場合に、複写禁止原稿（以下「特殊原稿」という）であるか否かを自動的に検出して、特殊原稿であった場合は画像全体を塗りつぶす等の加工処理を施すことによって、正常に印刷または出力できないようにする機能を有するものが、例えば特許文献１に見られるように既に知られている。
【特許文献１】特開２００６−２８７７０７号公報
【０００３】
しかし、従来のこのような画像処理装置においては、読み取った画像が特殊原稿であった場合には画像全体に塗りつぶし等の加工を施せるように、少なくとも読み取った画像のどこにも特殊原稿が含まれていないことが確定するまで、読み取った画像データを機器の外部に出力することができない。そのため、常に読み取った画像データを特殊原稿の判定が済むまで一旦保持する必要があり、最終的に複写等の処理が完了するまでの時間が延びてしまうという問題があった。
特に、特殊原稿の検出速度が画像入力あるいは読み取り速度に対して遅い場合は、検出結果の遅延が全体システムのスループットを低下させることにつながる。
【０００４】
特許文献１に記載された画像処理装置には、ファーストコピータイムのパフォーマンスを維持した上で、特殊原稿が蓄積されて再利用されるのを防止するために、紙幣や有価証券などの複写禁止画像データに対して、画像出力部での画像加工処理と、メモリ蓄積部での画像加工処理の両方を備えている。
【０００５】
この場合、画像出力部で画像のラスタイメージ展開されている系の中で特殊原稿検出時の画像塗りつぶし(加工)を行うので、印刷データの置換によって画像を塗りつぶす場合は、入力画像の最後端部分に特殊原稿の検出パターン（地紋）がある場合でも画像全体を塗りつぶせるように、特殊原稿の検出結果が出るまで画像データの一部分すら外部への転送を開始できない。そのため、画像データのプリンタ等への転送完了までの時間が延びてしまうことになる。
【０００６】
図１４は、従来の特殊原稿判定機能を有する画像処理装置（画像入出力機器）の典型的な構成例を示すブロック図である。
画像入力手段５１は複写機で言えば原稿読取部に相当し、原稿の読み取り情報をデジタル値に変換してシステムに取り込む機能を有する。そこで入力された読み取りデータは通常の画像処理を施す画像処理手段５２に送られるのと並行して、紙幣等の複写禁止原稿であるか否かを検出可能な特殊原稿判定手段５５に送られる。ここで特殊原稿判定手段５５は、通常の画像処理手段５２とは全く独立である。
【０００７】
画像処理手段５２で画像処理された画像データは順次画像蓄積手段５３に蓄えられるが、その間、特殊原稿判定手段５５は入力画像に対して絶えず特殊原稿が含まれていないかどうかを検出（判定）しており、１ページ分の判定が完了した時点でその判定結果を画像加工手段５６に送る。判定結果が「特殊原稿が含まれている」であった場合には、画像加工手段５６が画像蓄積手段５３に蓄積されている１ページ分の画像データに対して全面塗りつぶし等の画像加工を施す。
【０００８】
また、特殊原稿判定手段５５による判定結果が「特殊原稿ではない」であれば、画像加工手段５６は何も画像加工を行わない。その後、画像蓄積手段５３に蓄積された１ページ分の画像データがデータ出力手段５４によって外部のプリンタ等に出力される。複写機であれば、そのデータ出力手段が画像印刷部（印字部）に相当する。
【発明の開示】
【発明が解決しようとする課題】
【０００９】
しかしながら、このような従来の画像処理装置にでは、特殊原稿判定手段５６が最終的に判定結果を出すまで画像蓄積手段５３によって判定の対象となる領域（一般に1ページ分）の画像データを保持しつづけなければならない。それは、複写禁止原稿の一部分すら正常に印刷したり外部に出力したりしないためには、一旦その領域の画像データ全体を蓄積して判定結果を待つしかないからである。このため、特殊原稿判定手段５５による最終的な判定結果が出るまでの時間が、並行処理する画像処理手段５２の所要時間より長くかかる場合は、システム全体の処理が完了するまでの時間、つまり画像データが出力もしくは印刷されるまでの時間が、特殊原稿の判定機能を組み込んだために延びてしまうことになる。
【００１０】
この発明は、このような問題を改善するためになされたものであり、特殊原稿が含まれているか否かをその原稿の画像データを入力しながら判定する場合、特殊原稿判定部の処理が完了する前に、既に所定の処理を終えた画像データから順次外部の画像出力装置（プリンタ等）や画像蓄積装置（サーバ等）に出力したり、同じ装置内の画像印刷部や画像蓄積部等へ送出することを可能にし、特殊原稿が検出された場合にそのページの画像全体に塗りつぶし等の画像加工を行うための機能を組み込んでも、その装置あるいはシステム全体の処理が完了するまでの時間を従来より短縮できるようにすることを目的とする。
【課題を解決するための手段】
【００１１】
この発明による画像処理装置は、上記の目的を達成するため、画像データを入力する画像データ入力手段と、その画像データ入力手段が入力した画像データをページ記述言語（ＰＤＬ：Page Description Language）に変換し、１ページ分の画像データをＰＤＬに変換し終ったときにページ終了コマンド送出するＰＤＬ変換手段と、そのＰＤＬ変換手段が変換したページ記述言語のデータを順次出力するデータ出力手段と、上記画像データ入力手段が入力した画像データを１ページ分毎に特殊原稿の画像データを含むか否かを判定する特殊原稿判定手段と、その特殊原稿判定手段の判定結果が出るまで上記ＰＤＬ変換手段に上記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、そのコマンドを上記ページ終了コマンドより前か同時に送出させる画像加工コマンド付加手段とを備えたことを特徴とする。
【００１２】
上記画像データ入力手段は、外部に接続して設けた画像読取装置を制御する読取制御手段と、その読取制御手段に制御されて上記画像読取装置が原稿の画像を読み取って出力する画像データを順次入力する読取データ入力手段とによって構成してもよい。
この発明による画像読取装置は、上記画像処理装置の画像データ入力手段に代えて、原稿の画像を読み取って画像データを出力する画像読取手段（スキャナ部）を備え、その画像読取手段が出力する画像データを、ＰＤＬ変換手段が順次ページ記述言語に変換するようにしたものである。
【００１３】
この発明による画像出力システムは、上記画像処理装置あるいは上記画像読取装置と、その画像処理装置あるいは画像読取装置からデータ通信手段（有線又は無線のネットワークを含む）を介して上記ページ記述言語のデータが伝送される画像出力装置とからなる。
そして、その画像出力装置が、上記画像処理装置からデータ通信手段を介して伝送されるページ記述言語のデータを一時的に保持するするデータ保持手段と、上記ページ終了コマンドを受け取った後、上記データ保持手段に保持したそのページのページ記述言語からラスタデータを生成し、前記ページ終了コマンドより前か同時に前記画像加工コマンドを受け取った場合には、該ページのラスタデータを生成する際に前記所定の加工処理を施すラスタデータ生成手段と、そのラスタデータ生成手段が生成したラスタデータを画像として用紙に印刷するか表示画面に表示して出力する画像出力手段とを備えている。
【００１４】
この発明による画像蓄積システムは、上記画像処理装置あるいは上記画像読取装置と、その画像処理装置あるいは画像読取装置からデータ通信手段を介して上記ページ記述言語のデータが伝送される画像蓄積装置とからなる。
そして、その画像蓄積装置が、上記画像出力装置における画像出力手段に代えて、上記ラスタデータ生成手段が生成したラスタデータを画像ファイルとして蓄積記憶する画像蓄積記憶手段を備えたものである。
【００１５】
この発明による画像印刷装置は、画像処理部と画像印刷部とからなり、その画像処理部が、上記画像処理装置におけるデータ出力手段を除いた各手段を備え、そのデータ出力手段に代えて画像印刷部（プリンタ部）を備えたものである。
その画像印刷部は、上記画像処理部のＰＤＬ変換手段が送出するページ記述言語のデータを一時的に保持するするデータ保持手段と、ページ終了コマンドを受け取った後、上記データ保持手段に保持したそのページのページ記述言語からラスタデータを生成し、上記ページ終了コマンドより前か同時に上記画像加工コマンドを受け取った場合には、そのページのラスタデータを生成する際に所定の加工処理を施すラスタデータ生成手段と、そのラスタデータ生成手段が生成したラスタデータを画像として用紙に印刷する画像印刷手段とを備えている。
【００１６】
この発明による画像複写装置は、画像読取部と画像印刷部とからなり、その画像読取部が、上記画像読取装置におけるデータ出力手段を除いた各手段を備え、そのデータ出力手段に代えて、画像印刷装置の画像印刷部と同じ画像印刷部を備えたものである。
この発明による画像蓄積装置は、画像処理部あるいは画像読取部と画像蓄積部とからなり、その画像処理部あるいは画像読取部が上記データ出力手段を除いた上記各手段を備え、そのデータ出力手段に代えて画像蓄積部を備えたものである。
その画像蓄積部は、上記画像出力装置における画像出力手段に代えて、上記ラスタデータ生成手段が生成したラスタデータを画像ファイルとして蓄積記憶する画像蓄積記憶手段を備えたものである。
【００１７】
この発明によるプログラムは、コンピュータを、画像データを入力する画像データ入力手段、その画像データ入力手段が入力した画像データをページ記述言語に変換し、１ページ分の画像データをページ記述言語に変換し終ったときにページ終了コマンド送出するＰＤＬ変換手段、そのＰＤＬ変換手段が変換したページ記述言語のデータを順次出力するデータ出力手段、上記画像データ入力手段が入力した画像データを１ページ分毎に特殊原稿の画像データを含むか否かを判定する特殊原稿判定手段、およびその特殊原稿判定手段の判定結果が出るまで上記ＰＤＬ変換手段に上記ページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、該コマンドを前記ページ終了コマンドより前か同時に送出させる画像加工コマンド付加手段として機能させるためのプログラムである。
【００１８】
この発明による記録媒体は、上記プログラムを記録したコンピュータ読み取り可能なフレキシブルディスク、ＣＤ−ＲＯＭ、メモリカード、メモリチップ等の記録媒体である。
【発明の効果】
【００１９】
この発明によれば、外部への画像データ転送形式としてＰＤＬを採用したことにより、画像出力装置（プリンタ）に特殊な機能が必要でなく、汎用の機能を持つ装置を採用することができる。
そして、入力した画像データをＰＤＬ変換して、そのページ記述言語のデータ(ＰＤＬデータ)を順次転送しても、それを受け取った外部の装置（画像出力装置や画像蓄積装置）では、転送された画像領域の終了コマンドを受け取るまではラスタデータ（ビットマップデータ）を生成することができない。そのため、仮に特殊原稿のＰＤＬデータが出力されたとしても、ページ終了コマンド送らなければをそれを表示や印刷して悪用することはできない
【００２０】
そこで、特殊原稿の判定結果が出るまでＰＤＬ変換手段にページ終了コマンドの送出を待たせ、特殊原稿の画像データを含むとの判定結果が出た場合には、その１ページ分の画像データに所定の加工処理を施すことを指示するＰＤＬコマンドによる画像加工コマンドを生成し、そのコマンドをページ終了コマンドより前か同時に送出させることによって、それを受け取った外部の装置は、そのページのラスタデータを生成する際に塗りつぶし等の所定の加工処理を施すので、偽造等を防ぐことができる。
したがって、特殊原稿が含まれているか否かを、その画像データを入力しながら検出する装置あるいはシステムにおいて、特殊原稿判定手段の判定処理が完了する前に、画像データ（ＰＤＬデータ）を外部に順次出力することができ、その転送時間を早めることができるため、最終的な処理が完了するまでの時間を短縮できる。
【発明を実施するための最良の形態】
【００２１】
以下、この発明の実施の形態を図面に基づいて具体的に説明する。
まず、この発明による画像処理装置とそれを使用した画像出力システムおよび画像蓄積システムの実施例について説明する。
図２はこの発明の対象とする画像処理装置等の使用環境の一例を示す。この例は、データ通信手段であるＬＡＮやイントラネットなどネットワーク１００によって、ＰＣ等の情報処理装置１０１、画像印刷装置であるプリンタ１０２、画像読取装置であるスキャナ１０３、および画像蓄積装置の機能も有するサーバ１０４等が接続され、互いにデータを転送できるようになっている。
【００２２】
ここで、情報処理装置１０１にこの発明による画像処理装置の機能を持たせることができる。その場合、スキャナ１０３と情報処理装置１０１とプリンタ１０２によって画像出力システムを構成し、スキャナ１０３と情報処理装置１０１とサーバ１０４によって画像蓄積システムを構成することができる。情報処理装置１０１が画像処理装置と画像読取装置の機能を備えているか、ネットワーク１００を通じて他の装置から情報処理装置１０１に画像データが入力される場合には、スキャナ１０３を省略できる。
【００２３】
また、スキャナ１０３あるいはプリンタ１０２にこの発明による画像処理装置の機能を持たせたり、スキャナ１０３とプリンタ１０２の機能を備えたデジタル複合機（ＭＦＰ）にこの発明による画像処理装置の機能を持たせたりすることもできる。
データ通信手段であるネットワーク１００は、無線ＬＡＮや光通信網でもよく、公衆電話回線網やインターネット網などの大きなネットワークを利用してもよい。あるいは、各装置を直接ＵＳＢケーブルなどで接続してもよい。
【００２４】
図１は、この発明による画像処理装置およびそれを使用した画像出力システムの一実施例を示すブロック図である。なお、各手段を制御する制御部は図示を省略している。また、各手段の一部あるいは全部を、ＰＣのソフトウエア（アプリケーションプログラム）による機能で実現することも可能である。
【００２５】
この画像処理装置１における画像データ入力手段１１、画像処理手段１２、および特殊原稿判定手段１５は、図１４に示した従来例の対応する各手段と同様である。すなわち、画像データ入力手段１１は、図１に示したスキャナ１０３で原稿の画像を読み取った画像データ、あるいはネットワーク１００を通して他の装置から送される画像データを入力し、それがアナログデータであればデジタルデータに変換して取り込み、画像処理手段１２と特殊原稿判定手段１５に送る。
【００２６】
画像データ入力手段１１は、E-mailや外部のスキャナからScanToFolder機能によって送られて来る画像データを受動的に受け取るものでもよい。
あるいは図３に示すように、外部に接続して設けた画像読取装置（スキャナ)３を制御する読取制御手段１１aと、その読取制御手段１１aが画像読取装置３の動作を制御して原稿の画像を読み取らせ、その読み取った画像データを順次入力する読取データ入力手段１１ｂとによって構成してもよい。その場合の読取制御手段１１aは、外部に接続された画像読取装置（スキャナ)３を制御するＴＷＡＩＮドライバあるいはＷＩＡドライバ等である。
【００２７】
画像処理手段１２は、入力した画像データにフィルタニング処理やガンマ補正、変倍処理など通常の画像処理を施す。しかし、この画像処理手段１２は、この発明を実施するために必須のものではないから省略することもできる。特殊原稿判定手段１５は、入力した画像データに特殊原稿（紙幣や有価証券などの複写禁止原稿）の画像データが含まれているか否か判定する。この判定は、予め記憶さている特殊原稿の特徴的な各種パターンとのパターンマッチングによって行うが、これは公知の技術であるから詳細な説明は省略する。この特殊原稿判定手段５５は画像処理手段５２とは全く独立に並行して判定処理を実施する。
【００２８】
画像処理手段５２で通常の画像処理が終了した領域から、その画像データをＰＤＬ（Ｐage Description Language：ページ記述言語）変換手段１３によって、ＰostScript等のいわゆる描画コマンドによるＰＤＬデータに変換し、それをデータ出力手段１４によって順次出力し、１ページ分の画像データをＰＤＬに変換し終ったときにページ終了コマンド送出する。一般にＰＤＬは、プリンタアプリケーションにおいてＰＣ側のプリンタドライバが画像印刷装置であるプリンタへコマンドとして画像転送する方式として普及している。ＰＣとプリンタ間の通信速度を向上できる上、高度なＰＤＬでは自由度の高い描画機能を実現できるメリットがある。この発明では、画像データをこのＰＤＬデータで、データ出力手段１４からＵＳＢケーブルやネットワークによるデータ通信手段を介して外部へ出力するのが特徴の一つである。
【００２９】
特殊原稿判定手段１５は、画像データ入力手段１１によって取り込んだ画像データに特殊原稿のパターンが検出されると特殊原稿であると判定し、1ページ分の画像データの検査が終了するまでに特殊原稿のパターンが検出されなければ特殊原稿ではないと判定し、その判定結果を画像加工コマンド付加手段１６へ送る。
【００３０】
画像加工コマンド付加手段１６は、特殊原稿判定手段１５の判定結果が出るまで、ＰＤＬ変換手段１３に1ページ分の画像データのＰＤＬ変換が完了してもページ終了コマンドの送出を待たせ、特殊原稿の画像データを含む（特殊原稿である）との判定結果が出た場合には、その１ページ分の画像データに所定の加工処理を施すことを指示するＰＤＬコマンドによる画像加工コマンドを生成し、そのコマンドをページ終了コマンドより前か同時に送出させる。特殊原稿の画像データを含まない（特殊原稿ではない）の判定結果が出た場合には、ページ終了コマンドだけを送出させる。
【００３１】
すなわち、特殊原稿判定手段１５の判定結果が出た後、ページ終了コマンド、あるいは画像加工コマンドとページ終了コマンドをデータ出力手段１４が外部に出力する。このときには既にそれらのコマンド以外の1ページ分のＰＤＬデータは出力済みである。
ＰＤＬは、既に外部に出力された画像領域も含めて画像全体の加工処理の命令を記述できるため、後追いで画像加工コマンドを出力することによってそのページの画像全体を加工することが可能になる。また、ページ終了コマンドを出力するまでは、既に外部に出力されたそのぺージのＰＤＬデータによって、外部装置でラスタデータ（ビットマップデータ）を生成することはできない。
【００３２】
そのため、特殊原稿の判定手段に時間がかかったとしても、その間にＰＤＬ変換した画像データを外部に出力することができ、システム全体としてスループットの低下を防ぐことができる。
図１に示す例ではその出力先を画像出力装置２とし、全体として画像出力システムを構成している。その画像出力装置２は、データ保持手段２１と、ラスタデータ生成手段２２と、画像出力手段２３とを備えている。
【００３３】
データ保持手段２１は、画像処理装置１のデータ出力手段１４から前記データ通信手段を介して伝送されるＰＤＬデータを一時的に保持するするバッファメモリである。
ラスタデータ生成手段２２は、ページ終了コマンドを受け取った後、データ保持手段２１に保持しているそのページのＰＤＬデータからラスタデータを生成し、ページ終了コマンドより前か同時に画像加工コマンドを受け取った場合には、そのページのラスタデータを生成する際にその画像の全面に所定の加工処理を施す。その所定の加工処理とは、たとえば全面塗りつぶしや網掛け、特殊な模様を全面にかぶせるか置き換えたり、あるいは「複写」あるいは「複写禁止」等の文字やマークを大きく重ねたりする処理である。
【００３４】
画像出力手段２３は、そのラスタデータ生成手段２２が生成したラスタデータを画像として用紙に印刷するか表示画面に表示して出力する。用紙に印刷する場合はプリンタエンジンであり、表示画面に表示する場合はディスプレイである。
画像出力手段２３がプリンタエンジンである場合は、この画像出力装置２がＰＤＬ対応プリンタであり、画像読取装置であるスキャナと組み合わせて画像複写システムを構成する。そのＰＤＬ対応プリンタは特殊なものではなく、従来から一般に使用されているＰＤＬ対応プリンタを用いることができる。
【００３５】
図４は、図１に示した画像処理装置によるこの発明に関する処理の流れを示すフロー図である。
図１の画像データ入力手段１１に画像データが入力するとこの処理を開始し、ステップＳ１１でその画像データを順次画像処理手段１２と特殊画像判定手段１５に入力させて、ステップＳ１２ではその画像データに対する通常の画像処理と特殊原稿判定処理とを並行して行う。通常の画像処理は、フィルタニング処理やガンマ補正、変倍処理など、画像データを出力する媒体あるいは用途に適した画像に補正もしくは変換するための処理全般を指すが、この発明に必須ではない。特殊原稿判定処理は、画像データが紙幣や有価証券などの複写禁止原稿である特殊原稿の画像データであるか否かを判定する処理である。
【００３６】
次いで、ステップＳ１３では通常の画像処理が済んだ領域の画像データから順次、ＰＤＬ変換手段１３によってＰＤＬ変換してＰＤＬデータ（ページ記述言語のデータ）にする。そして、ステップＳ１４でデータ出力手段１４によってそのＰＤＬデータを順次出力する。
その後、ステップＳ１５で、ＰＤＬ変換手段１３によって１ページ分のＰＤＬ変換が完了したかどうかを判断し、完了した場合にはページ終了コマンドを生成してステップＳ１６へ進むが、完了していない場合はステップＳ１１へ戻って画像データを入力し、上述した処理を繰り返す。
【００３７】
１ページ分のＰＤＬ変換が完了するとページ終了コマンドを生成してステップＳ１６へ進み、特殊原稿判定手段１５によるる特殊原稿判定が完了すたか否かを判断する。これは、画像加工コマンド付加手段１６に特殊原稿判定手段１５から判定結果が入力したか否かによってで判断し、判定結果が入力するまで待つ。判定結果が入力するとステップＳ１７へ進んで、その判定結果が「特殊原稿が含まれていない」であるか否かを判断する。
【００３８】
そして、判定結果が「特殊原稿が含まれていない」であると、ステップＳ１９でページ終了コマンドを送出して処理を終了する。判定結果が「特殊原稿が含まれていない」でない場合、すなわち「特殊原稿が含まれている」場合には、ステップＳ１８へ進んで、画像加工コマンド付加手段１６によって、その１ページ分の画像データに所定の加工処理を施すことを指示するＰＤＬコマンドによる画像加工コマンドを生成し、それをＰＤＬ変換手段１３が生成したページ終了コマンドに付加する。
【００３９】
そして、ステップS１９で画像加工コマンドが付加されたページ終了コマンドをデータ出力手段１４によって外部に出力して、この一連の処理を終了する。
この場合は、画像加工コマンドをページ終了コマンドと同時に送出することになるが、、画像加工コマンドを送出してからページ終了コマンドを送出し、画像加工コマンドをページ終了コマンドより前に出力するようにしてもよい。
【００４０】
ここで、この発明による処理時間短縮の効果をタイミング図によって説明する。
図５は比較のために図１４に示した従来の画像処理装置による処理の制御タイミングを示すタイミング図であり、図６は図１に示したこの発明の画像処理装置による処理の制御タイミングを示すタイミング図である。
いずれの図においても、縦軸は各処理を上から順に時系列に示し、横軸は左から右へ時間の経過を表すものである。そして、各処理の実行時間を矢印線で表し、横軸の下にアルファベットＡ〜Ｋによってその開始と終了のタイムポイントを示している。
【００４１】
まず、図５によって従来の画像処理装置による処理の制御タイミングについて説明する。
原稿読み取り（画像データ入力）の開始時点をＡとすると、読み取った画像データが画像処理手段へ転送される分だけの遅れをもって、時点Ｂで画像処理が始まり、同時に特殊原稿の検知処理も開始される。画像処理は入力された画像データから順次終了し、時点Ｃから画像処理が終了した画像データを蓄積し始める。それらの処理は原稿読み取り中（Ｃ〜Ｄの期間）は同時に並行して行われている。
【００４２】
時点Ｄで原稿読み取り（画像データ入力）が終了すると、画像処理開始までの遅延と画像処理自体の遅延が加わって、その後の時点Ｅで画像処理が終了する。それより若干遅れて時点Ｆで画像蓄積も完了する。しかし、画像処理と同時にスタートした特殊原稿検知処理は、特殊原稿のパターンが含まれていないか1ページ分の画像データの最後に近い部分に含まれている場合には時間がかかり、時点Ｆでは未だ終了していない。これは、特に特殊原稿検知をファームウェアで実現する場合や、データ転送時間が必要となる外付けの回路によって実現する場合には十分に考えられる状況である。
【００４３】
この場合においては、特殊原稿の判定結果がでるまで（Ｆ〜Ｇの期間）、蓄積した画像を保持しなければならない。この例では画像の後端部分で特殊原稿が検知された場合を想定しているため、時点Ｅで画像処理が完了してからかなり遅れて、時点Ｇで特殊原稿が検出されるものとする。その時点で初めて読み取った画像が特殊原稿であったことが判り、時点Ｈで１ページの画像データ全体（全面）に画像加工を施す処理を開始する。時点Ｉでその処理が終了すると、時点Ｊで蓄積した画像データの出力を開始して、時点Ｋでその出力を完了し、一連の動作が終了する。
【００４４】
この図５は特殊原稿が検知された場合の例を示しているが、特殊原稿が検知されなかったとしても（殆どの場合が検知されない）、処理としては時点Ｈ〜Ｉの全面画像加工の処理が不要になるだけで、その他の処理や待ち時間は必要となるため、処理が完了するまでの時間は大きく変わらない。つまり、従来のこの種の画像処理装置では、特殊原稿検知機能により特殊原稿の画像全体に加工処理を施すことを実現するために、常時の処理時間がかなり長くなることになる。
【００４５】
次に、図６によってこの発明の画像処理装置による処理の制御タイミングについて説明する。時点Ａで原稿読み取り（画像データ入力）を開始し、その後時点Ｂで画像処理および特殊原稿検知処理を開始する動作は従来と同じである。
そして、画像処理が終了したデータは時点Ｃから一旦バッファメモリに蓄積され、その後の時点ＤでＰＤＬ変換を開始する。その変換されたＰＤＬデータは、１ページ全体の画像処理の終了を待たずに時点Ｅから出力が開始される。これらの処理は並行して進行する（Ｅ〜Ｆまでの期間）。時点Ｆで原稿読み取り（画像データ入力）が終了し、時点Ｇで画像処理も終了すると、入力データがなくなるためＰＤＬ変換は時点Ｈで一時中断し、少し遅れてＰＤＬデータ出力も中断する。その各中断期間を破線で示している。
【００４６】
その中断の間も特殊原稿検知処理は継続しており、最終的に時点Ｉで特殊原稿が検出されると、画像加工コマンド付加手段によってこれまで読み取った領域も含めて全面に加工を施すＰＤＬコマンドによる画像加工コマンドの生成が行われる（Ｉ〜Ｊの期間）。そして時点ＪでＰＤＬ変換手段にがページ終了コマンドにその画像加工コマンドを付加して送出し、ＰＤＬ変換を終了する。その画像加工コマンドが付加されたページ終了コマンドをデータ出力手段から出力して、時点ＫでＰＤＬデータ出力を完了する。
【００４７】
この場合、特殊原稿検知処理の間も画像データ（ＰＤＬデータ）の出力は並行して行われており、特殊原稿と判定されてからの処理は、画像加工コマンドの生成とそれをページ終了コマンドに付加して出力するだけであるため、全体の処理時間は従来に比べて大幅に短縮されることになる。
データ出力先がＰＤＬ対応プリンタの場合、ＰＤＬデータの転送完了（ページ終了コマンドの転送）後にラスタイメージに展開し、印字部で印字することになる。印字が完了するまでにラスタイメージへの展開時間が必要になるが、プリンタ側のコントローラ性能が十分高ければシステム全体の処理時間に対してさほど大きなウェートを占めるものではない。
【００４８】
次に、この発明による画像蓄積システムの構成例を図７に示す。この画像蓄積システムは、図１に示した画像処理装置１と、その画像処理装置１からデータ通信手段を介してＰＤＬデータによる画像データが伝送される画像蓄積装置４とからなる。
そして、その画像蓄積装置４は、図1に示した画像出力装置２におけるデータ保持手段２１及びラスタデータ生成手段２２と同じデータ保持手段４１及びラスタデータ生成手段４２と、ラスタデータ生成手段４２が生成したラスタデータを圧縮する圧縮手段４３、およびその圧縮したデータを画像ファイルとして蓄積記憶するハードディスク装置（ＨＤＤ）やＵＳＢメモリ等の画像蓄積記憶手段４４とを備えている。
なお、圧縮手段４３を設けた方が、蓄積する画像データのデータ量を少なくして蓄積量を増やすことができるが、この発明に必須のものではないから省略してもよい。
【００４９】
この実施例では、画像蓄積装置４に蓄積された画像ファイルに特殊原稿の画像データがあったとしても、そのページの画像は全面に塗りつぶし当の画像加工が施されているので、それがプリンタなどに転送して印刷されても、偽造などに悪用することはできない。
あるいは、画像データをＰＤＬ形式で画像蓄積記憶手段４４に蓄積記憶して、その後画像蓄積記憶手段４４から取り出されたときに、そのＰＤＬデータをラスタイメージに展開して印刷あるいは表示するようにしてもよい。その場合でも、ＰＤＬデータをラスタイメージに展開する際に、画像加工コマンドがあればその画像全体に所定の加工処理をするため、特殊原稿の画像データの悪用を防止することができる。
【００５０】
次に、この発明による画像読取装置およびそれを使用する画像出力システムの構成例を図８に示す。この画像読取装置１０は、図１に示した画像処理装置１の画像データ入力手段１１に代えて、原稿の画像を読み取って画像データを出力する画像読取手段（スキャナ部１７を備え、その画像読取手段１７が出力する画像データを、ＰＤＬ変換手段１３が順次ページ記述言語に変換するようにしたものである。
その画像読取装置１０と、それからデータ通信手段を介してＰＤＬデータが伝送される画像出力装置２とによって画像出力システムを構成しているが、その画像出力装置２は図１に示したものと同じであるから、その説明を省略する。
この実施例で画像出力装置２の画像出力手段２３が画像印刷手段（プリンタエンジン）であれば、スキャナプリンタとなり、ディスプレイ装置であればスキャナ表示装置となる。
【００５１】
図９はこの発明による画像蓄積システムの他の実施例を示す。この画像蓄積システムは、上述した画像読取装置１０と図７に示した画像蓄積装置とを組み合わせて構成したものである。これは、この発明を適用したスキャナ付きファイリング装置となる。
【００５２】
次に、この発明による画像印刷装置の実施例を図１０に示す。
この画像印刷装置は、画像処理部１′と画像印刷部２′とからなり、その画像処理部１′は、図１に示した画像処理装置１におけるデータ出力手段１４を除いた各手段を備え、そのデータ出力手段１４に代えて画像印刷部（プリンタ部）２′を備えたものである。
その画像印刷部２′は、図１における画像出力装置２における画像出力手段２３に代えて、ラスタデータ生成手段２２が生成したラスタデータを画像として用紙に印刷する画像印刷手段２５を備えている。画像処理部１′のＰＤＬ変換手段１３と画像印刷部２′のデータ保持手段とは、ＰＤＬデータを転送するために装置内部のデータ通信線で接続されている。
【００５３】
図１１は、この発明による画像複写装置の実施例を示す。この画像複写装置は、画像読取部１０′と画像印刷部２′とからなり、その画像読取部１０′は、図８に示した画像読取装置１０におけるデータ出力手段１４を除いた各手段を備え、そのデータ出力手段１４に代えて、図１０の画像印刷装置における画像印刷部２′と同じ画像印刷部を備えたものである。この実施例は、この発明を実施したデジタル複写機又はデジタル複合機に相当する。
【００５４】
図１２と図１３は、いずれもこの発明による画像蓄積装置の実施例を示す。図１２に示す画像蓄積装置は、図１０に示した画像処理部１′と図９に示した画像蓄積装置４と同じ構成の画像蓄積部４′とからなる。この実施例は、画像蓄積装置として機能するサーバにこの発明による画像処理部を内蔵させたものに相当する。
図１３に示す画像蓄積装置は、図１１に示した画像読取部１０′と図９に示した画像蓄積装置４と同じ構成の画像蓄積部４′とからなる。この実施例は、スキャナ付き文書ファイリング装置にこの発明による画像処理部を内蔵させたものに相当する。
【００５５】
この発明によるプログラムの実施例は、コンピュータを、図１に示した画像処理装置の各手段として機能させるためのプログラム、あるいは図４に示したフロー図の各ステップの処理あるいは判断の手順をコンピュータに実行させるためのプログラムである。
コンピュータを、上述したその他の実施例の各手段として機能させるためのプログラムも作成可能である。
【００５６】
この発明による記録媒体の実施例は、上記プログラムを記録したコンピュータ読み取り可能なフレキシブルディスク、ＣＤ−ＲＯＭ、メモリカード、メモリチップ等の記録媒体である。
そのプログラムをネットワーク配信等によって、あるいは上記記録媒体からＰＣにインストールすることによって、そのＰＣがこの発明による画像処理装置等として機能する。
【００５７】
以上の実施例の説明では、特殊原稿判定手段１５が入力した画像データが特殊原稿のデータであるか否かを判断して、特殊原稿であると判断した場合に、画像加工コマンド付加手段１６がその１ページ分の画像データに所定の加工処理を施すことを指示するＰＤＬコマンドによる画像加工コマンドを生成し、その画像加工コマンドをＰＤＬ変換手段１３がページ終了コマンドより前か同時に送出させるようにした。
しかし、特殊原稿には紙幣のようにそのまま商品やサービスの対価の支払いに使用できるものと、有価証券のように使用に制限があったり手続が必要なもの、証明書のようにコピーが禁じられてはいないが、原本とコピーとは明確に区別できる必要があるもの等、ランクが異なるものがある。
【００５８】
そこで、特殊原稿の種類、例えば紙幣、有価証券、証明書などの別（ランク）も判別して、その種類（ランク）によって異なる画像加工コマンドを生成してＰＤＬコマンドとして出力し、外部装置当でＰＤＬデータをラスタデータに展開する際に、画像加工コマンドの種類によって、紙幣の場合には全面塗りつぶし又は全面網掛け、有価証券の場合には「複写禁止」の大きな文字やマークを重ね書き、証明書の場合には「コピー」又は「ＣＯＰＹ」の文字を地模様のように重ね描きするなどの、異なる画像加工を施すようにすることも可能である。
【産業上の利用可能性】
【００５９】
この発明は、画像処理装置、画像読取装置、画像出力システム、画像蓄積システム、画像印刷装置、画像複写装置、画像蓄積装置などの単体およびそれらをネットワーク等のデータ通信手段を介して接続したシステムに利用でき、紙幣や有価証券等の偽造などを防止に有効である。しかも、そのための処理時間を従来このような機能を有する装置より大幅に短縮できる。
【図面の簡単な説明】
【００６０】
【図１】この発明による画像処理装置およびそれを使用した画像出力システムの一実施例を示すブロック図である。
【図２】この発明の対象とする画像処理装置等の使用環境の一例を示す図である。
【図３】図１における画像データ入力手段の構成例を示すブロック図である。
【図４】図１に示した画像処理装置によるこの発明に関する処理の流れを示すフロー図である。
【図５】図１４に示した従来の画像処理装置による処理の制御タイミングを示すタイミング図である。
【図６】図１に示したこの発明の画像処理装置による処理の制御タイミングを示すタイミング図である。
【００６１】
【図７】この発明による画像蓄積システムの構成例を示すブロック図である。
【図８】この発明による画像読取装置およびそれを使用する画像出力システムの構成例を示すブロック図である。
【図９】この発明による画像蓄積システムの他の実施例を示すブロック図である。
【図１０】この発明による画像印刷装置の実施例を示すブロック図である。
【図１１】この発明による画像複写装置の実施例を示すブロック図である。
【図１２】この発明による画像蓄積装置の一実施例を示すブロック図である。
【図１３】この発明による画像蓄積装置の他の実施例を示すブロック図である
【図１４】従来の特殊原稿判定機能を有する画像処理装置（画像入出力機器）の典型的な構成例を示すブロック図である。
【符号の説明】
【００６２】
１：画像処理装置      １′：画像処理部      ２：画像出力装置      
２′：画像印刷部      ３：画像読取装置      ４：画像蓄積装置      
４′：画像蓄積部      １０：画像読取装置      １０′：画像読取部
１１：画像データ入力手段      １１ａ：読取制御手段      
１１ｂ：読取データ入力手段      １２：画像処理手段      
１３：ＰＤＬ変換手段      １４，４１：データ出力手段      
１５：特殊原稿判定手段      １６：画像加工コマンド付加手段      
２１：データ保持手段      ２２，４２：ラスタデータ生成手段      
２３：画像出力手段      ２５：画像印刷手段      
４３：圧縮手段      ４４：画像記憶手段
１００：ネットワーク（データ通信手段）      １０１：情報処理装置（ＰＣ）
１０２：プリンタ（画像印刷装置）      １０３：スキャナ（画像読取装置）
１０４：サーバ（画像蓄積装置）
【図１】
2009260721.tif 000003
【図２】
2009260721.tif 000004
【図３】
2009260721.tif 000005
【図４】
2009260721.tif 000006
【図５】
2009260721.tif 000007
【図６】
2009260721.tif 000008
【図７】
2009260721.tif 000009
【図８】
2009260721.tif 000010
【図９】
2009260721.tif 000011
【図１０】
2009260721.tif 000012
【図１１】
2009260721.tif 000013
【図１２】
2009260721.tif 000014
【図１３】
2009260721.tif 000015
【図１４】
2009260721.tif 000016